(57)【要約】【課題】ネジ等の固定手段を用いることなく内箱と外箱とを組付け固定し、意匠性を向上する。【解決手段】外箱１３における上端縁部の全周に、内箱１４を組付け固定するための嵌合部１６が形成される。内箱１４における上端縁部の全周に、嵌合部１６に上方から外嵌される被着部１７が形成される。外箱１３の嵌合部１６に内箱１４の被着部１７を外嵌したときに、両箱１３，１４の嵌合部位には、全周に亘って断熱用空間Ｓ１とは隔離された固定用空間Ｓ２が形成される。嵌合部１６に、断熱用空間Ｓ１と固定用空間Ｓ２とを連通する複数の抜穴１９が形成される。断熱用空間Ｓ１内で発泡充填される断熱材１５の一部が、各抜穴１９を介して固定用空間Ｓ２に入って充填され、該空間Ｓ２に充填される断熱材１５により外箱１３と内箱１４との嵌合部位が接着固定される。【選択図】　図５
2004084966.tif 000002
【特許請求の範囲】
【請求項１】
上方に開放する外箱（１３）の内部に所要の断熱用空間（Ｓ１）を存して上方に開放する内箱（１４）を内装すると共に、前記断熱用空間（Ｓ１）に断熱材（１５）を発泡充填した断熱箱体において、
前記外箱（１３）の上端縁部に形成された嵌合部（１６）と、
前記内箱（１４）の上端縁部に形成されて、該内箱（１４）を前記外箱（１３）に内装した際に前記嵌合部（１６）に外嵌される被着部（１７）と、
前記嵌合部（１６）と被着部（１７）との間に画成される固定用空間（Ｓ２）と、
前記嵌合部（１６）に形成されて、前記断熱用空間（Ｓ１）と固定用空間（Ｓ２）とを連通する複数の抜穴（１９）とを有し、
前記断熱用空間（Ｓ１）内に発泡充填される断熱材（１５）の一部が、前記抜穴（１９）を介して固定用空間（Ｓ２）に充填されている
ことを特徴とする箱体構造。
【請求項２】
前記外箱（１３）の嵌合部（１６）は、外箱（１３）の上端縁部から内側に折曲された下折曲部（１６ａ）と、該下折曲部（１６ａ）の内端縁部から上側に折曲されたフランジ部（１６ｂ）と、該フランジ部（１６ｂ）の上端縁部から内側に折曲された上折曲部（１６ｃ）とを有し、
前記内箱（１４）の被着部（１７）は、内箱（１４）の上端縁部から外側に折曲された上折曲部（１７ａ）と、該上折曲部（１７ａ）の外端縁部から下側に折曲された側面部（１７ｂ）と、該側面部（１７ｂ）の下端縁部から内側に折曲された下折曲部（１７ｃ）とを有し、
前記嵌合部（１６）に被着部（１７）を外嵌した際に、嵌合部（１６）の下折曲部（１６ａ）と被着部（１７）の下折曲部（１７ｃ）とが当接すると共に、嵌合部（１６）の上折曲部（１６ｃ）と被着部（１７）の上折曲部（１７ａ）とが当接するよう構成される請求項１記載の箱体構造。
【発明の詳細な説明】
【０００１】
【発明の属する技術分野】
この発明は、箱体構造に関し、更に詳しくは、上方に開放する外箱の内部に所要の断熱用空間を存して上方に開放する内箱を内装すると共に、該断熱用空間に断熱材を発泡充填することで構成される箱体構造に関するものである。
【０００２】
【従来の技術】
飲食店等で使用される食材保冷機として、上方に開放する断熱箱体に内部画成した冷却室に、その上部開口部からホテルパンと称される保冷容器を落とし込むように収納して、該容器内に収容した食材等を冷却するものが知られている。この食材保冷機に用いられる前記断熱箱体は、上方に開放する外箱の内部に所定の断熱用空間を存して上方に開放する内箱を内装し、前記断熱用空間に断熱材を発泡充填することで構成されている。
【０００３】
前記外箱と内箱との組付け構造を更に詳細に説明すると、前記内箱には、外箱に内装される上方に開放する本体の上端縁部に、外側に向けて折曲された被着部が形成されており、該被着部を外箱の上端縁部に上側から外嵌すると共に両者をネジ止めすることで、外箱と内箱とを組付け固定するよう構成される。
【０００４】
【発明が解決しようとする課題】
しかし、内箱の被着部と外箱の上端縁部とをネジ止めする構成では、ネジの頭部が外側に突出するために見栄えが悪く、またネジに衣服等が引掛かる難点がある。そこで、ネジの頭部が沈む深さの凹部を被着部に設け、該被着部の外面からネジの頭部を突出させないよう構成する提案がなされる。しかし、この場合においても依然としてネジの頭部は外側に露出しているから見栄えに劣り、また凹部内に塵埃が溜り易く、しかも清掃性も低い難点が指摘される。
【０００５】
【発明の目的】
この発明は、前述した従来の技術に内在している前記課題に鑑み、これを好適に解決するべく提案されたものであって、ネジ等の固定手段を用いることなく内箱と外箱とを組付け固定し、意匠性を向上し得るようにした箱体構造を提供することを目的とする。
【０００６】
【課題を解決するための手段】
前記課題を克服し、所期の目的を好適に達成するため、本発明に係る箱体構造は、
上方に開放する外箱の内部に所要の断熱用空間を存して上方に開放する内箱を内装すると共に、前記断熱用空間に断熱材を発泡充填した断熱箱体において、
前記外箱の上端縁部に形成された嵌合部と、
前記内箱の上端縁部に形成されて、該内箱を前記外箱に内装した際に前記嵌合部に外嵌される被着部と、
前記嵌合部と被着部との間に画成される固定用空間と、
前記嵌合部に形成されて、前記断熱用空間と固定用空間とを連通する複数の抜穴とを有し、
前記断熱用空間内に発泡充填される断熱材の一部が、前記抜穴を介して固定用空間に充填されていることを特徴とする。
【０００７】
【発明の実施の形態】
次に、本発明に係る箱体構造につき、好適な実施例を挙げて、添付図面を参照しながら、以下詳細に説明する。
【０００８】
図１は、実施例に係る箱体構造を採用した食材保冷機を示すものであって、該食材保冷機１０は、上方に開放する横長の断熱箱体１１と、該箱体１１の一側部に配設された冷凍ユニット１２とから基本的に構成される。前記断熱箱体１１は、図３に示す如く、上方に開放する外箱１３と、この外箱１３の内部に所要の断熱空間Ｓ１を存して内装された上方に開放する内箱１４と、前記断熱空間Ｓ１に充填される断熱材１５とから構成されている。
【０００９】
前記外箱１３における上端縁部の全周には、図２および図４に示す如く、前記内箱１４を組付け固定するための嵌合部１６が形成されている。この嵌合部１６は、外箱１３の上端縁部から内側に向けて略直角に折曲されて水平に臨む下折曲部１６ａと、該下折曲部１６ａの内端縁部から上側に向けて略直角に折曲されて鉛直に臨むフランジ部１６ｂと、このフランジ部１６ｂの上端縁部から内側に向けて斜めに折曲された上折曲部１６ｃとから構成される。これに対して前記内箱１４における上端縁部の全周には、前記嵌合部１６に上方から外嵌される被着部１７が形成されている。この被着部１７は、前記嵌合部１６の上折曲部１６ｃと平行となるよう内箱１４の上端縁部から外側に向けて所要角度で斜めに折曲された上折曲部１７ａと、該上折曲部１７ａの外端縁部から下側に向けて折曲されて鉛直に臨む側面部１７ｂと、この側面部１７ｂの下端縁部から内側に向けて略直角に折曲されて水平に臨む下折曲部１７ｃとから構成される。なお、内箱１４の上端縁部と被着部１７との連設部位に、後述する保冷容器２１のフランジ２１ａが載置される段部１８が形成されている。
【００１０】
そして、前記外箱１３の嵌合部１６に内箱１４の被着部１７を外嵌したときに、図５に示す如く、被着部１７における下折曲部１７ｃの下面が嵌合部１６における下折曲部１６ａの上面に当接すると共に、被着部１７における上折曲部１７ａの下面が嵌合部１６における上折曲部１６ｃの上面に当接して上下方向の位置決めがなされるよう構成してある。なお、外箱１３の外側面と被着部１７における側面部１７ｂの外面とは面一となるよう設定され、断熱箱体１１の外側に段部が生じないようになっている。
【００１１】
また、前記嵌合部１６と被着部１７とにより、両箱１３，１４の嵌合部位には、全周に亘って前記断熱用空間Ｓ１とは隔離された固定用空間Ｓ２が形成される。
但し、嵌合部１６のフランジ部１６ｂには、断熱用空間Ｓ１と固定用空間Ｓ２とを連通する複数の抜穴１９が形成されており、断熱用空間Ｓ１内で発泡充填される断熱材１５の一部が、各抜穴１９を介して固定用空間Ｓ２に入って充填され、該空間Ｓ２に充填される断熱材１５により外箱１３と内箱１４との嵌合部位が接着固定されるよう構成されている。
【００１２】
前述したようにして構成された断熱箱体１１の内部に画成される冷却室２０には、その長手方向に複数の保冷容器（いわゆるホテルパン）２１が並列に収納される。保冷容器２１が収納される冷却室２０の深さ、すなわち内箱１４の内部深さは、食材を収容する保冷容器２１が断熱箱体１１の上部開口１１ａから突出することなく収納され得る寸法に設定されている。また断熱箱体１１の上部は、後側から前側に向かって下方傾斜（嵌合部１６および被着部１７の上折曲部１６ｃ，１７ａの傾斜）するよう設定されており、該箱体１１の上部内側に形成された前記段部１８に、上端縁部に形成されたフランジ２１ａを介して支持された保冷容器２１は、その上面が前側に向けて下方傾斜するよう構成される。すなわち、冷却室２０に保冷容器２１が収納されている状態で、該容器２１に収容されている食材を、食材保冷機１０の前側から目視により容易に確認し得るようになっている。
【００１３】
前記断熱箱体１１の上部開口１１ａは、該断熱箱体１１に開閉可能に配設された複数のカバー２２により閉成されるよう構成される。なおカバー２２は、例えばポリカーボネート等の材料により透明に形成され、カバー２２で上部開口１１ａを閉成した状態で内部の食材を目視し得るようになっている。
【００１４】
前記断熱箱体１１の上部開口１１ａには、図９に示す如く、該開口１１ａの前後方向の開口寸法を短かくするための支持部材２３が着脱可能に配設されるよう構成される。そして、この支持部材２３を配設した際には、前後寸法の小さな保冷容器４２を冷却室２０に収納し得るようになっている。この場合においては、保冷容器４２の上端縁部に形成されたフランジ４２ａを、前記段部１８と支持部材２３に載置した状態で保冷容器４２が冷却室２０に収納される。
【００１５】
前記断熱箱体１１の一側部に配設される冷凍ユニット１２は、図６に示す如く、断熱箱体１１に一体的に配設されたキャビネット２４に内部画成した機械室２５に、圧縮機ＣＭ、凝縮器２６および凝縮器ファン２７等を配設して構成される。この冷凍ユニット１２から導出する冷却器２８は、図３および図７に示す如く、前記内箱１４における断熱材側に臨む外底面に密着するよう蛇行して配設され、該冷却器２８に冷媒を循環供給することで、冷却室２０に貯留された冷却水を冷却するようになっている。この冷却水は、冷却室２０に収納された保冷容器２１の底部が所定深さだけ浸漬される量で貯留され、該冷却水によって保冷容器２１に収容されている食材を間接的に冷却するよう構成してある。
【００１６】
前記キャビネット２４の上面前部には、図１に示すように吸込口２９が形成され、該吸込口２９には、外部空気中に含まれる塵埃を捕集するエアフィルタ３０が着脱可能に配設される。またキャビネット２４の上面後部には、吸込口２９の形成面から所定高さで立上がるダクト部３１が設けられ、該ダクト部３１の天井面に吹出口３２が形成されている。すなわち、前記機械室２５に配設した前記凝縮器ファン２７を回転することで、前部上方から吸込口２９を介して機械室内に吸込んだ外部空気で凝縮器２６や圧縮機ＣＭを空冷し、この熱交換された空気を吹出口３２を介して後部上方に排出するよう構成される。なお、ダクト部３１の前面は、上側から下側に向かうにつれて前方に傾斜しており、該傾斜面３１ａによって吹出口３２から排出される熱交換後の空気が吸込口２９に吸込まれる、いわゆるショートサイクルを生ずるのを抑制するようになっている。
【００１７】
前記機械室２５内の上部には、図６に示す如く、前記吸込口２９と吹出口３２が連通する空間を前後に仕切る遮蔽板３３が、上側から下側に向かうにつれて前方に傾斜して配設され、該遮蔽板３３で仕切られる前側の空間に対応して前記凝縮器２６が配置されると共に、後側の空間に前記圧縮機ＣＭと凝縮器ファン２７とが配置されている。これにより、凝縮器ファン２７の回転により吸込口２９から吸込んだ外部空気が、凝縮器２６や圧縮機ＣＭを空冷することなく吹出口３２から排出されるのを防止し、凝縮器２６および圧縮機ＣＭの効率的な空冷を図り得るよう構成される。なお、遮蔽板３３を傾斜配置したことで、熱交換後の空気はスムーズに吹出口３２に案内されて機外後方に排出されるようになっている。
【００１８】
前記キャビネット２４における断熱箱体側の側面には、図１に示す如く、下側から上側に向かうにつれて断熱箱体１１から離間する上方傾斜が付されており、この側部傾斜面に操作パネル部３４が配置されている。この操作パネル部３４には、電源スイッチ３５、電源ランプ３６、温度調整ダイヤル３７等が配置されており、該温度調整ダイヤル３７を操作することで、食材を冷却する温度を調整し得るよう構成される。
【００１９】
前記冷凍ユニット１２では、図８に示す如く、圧縮機ＣＭで圧縮された気化冷媒は、吐出管３８を経て凝縮器２６で凝縮液化し、ドライヤ３９で脱湿された後にキャピラリーチューブ４０で減圧され、前記冷却器２８中で一挙に膨張して蒸発することにより、前記冷却室２０に貯留されている冷却水と熱交換を行なって冷却する。そして、この冷却器２８で蒸発した気化冷媒は、吸入管４１を経て圧縮機ＣＭに帰還するサイクルを繰り返すよう構成される。
【００２０】
また前記キャピラリーチューブ４０の一部は、前記吸入管４１に近接するよう配管され、この近接部分（熱交換部）で該キャピラリーチューブ４０を流通する液化冷媒と吸入管４１を流通する気化冷媒とを熱交換して、該液化冷媒を過冷却することで、前記冷却器２８での冷却効率を向上するよう構成してある。
【００２１】
【実施例の作用】
次に、実施例に係る箱体構造を採用した食材保冷機の作用につき説明する。先ず、前記断熱箱体１１を組立てる場合は、図２に示す如く、前記外箱１３に対して内箱１４を上方から挿入し、その被着部１７を嵌合部１６に外嵌する。このとき、図５に示す如く、被着部１７における下折曲部１７ｃの下面が嵌合部１６における下折曲部１６ａの上面に当接すると共に、被着部１７における上折曲部１７ａの下面が嵌合部１６における上折曲部１６ｃの上面に当接して上下方向の位置決めがなされる。また、この状態で外箱１３の外側面と被着部１７における側面部１７ｂの外面とは面一となり、箱体外側に段部や凸部が生ずることはなく、外観の意匠性が向上する。しかも、外箱１３の嵌合部１６や内箱１４の被着部１７を折曲形成したことで、両箱１３，１４の嵌合部位での強度が向上すると共に、嵌合部１６により被着部１７の上折曲部１７ａを支持することで剛性も向上する。
【００２２】
前述したように外箱１３と内箱１４とを組付けた後、前記両箱１３，１４間に画成されている前記断熱用空間Ｓ１に断熱材１５を発泡充填すると、該断熱材１５の一部が、前記フランジ部１６ｂの各抜穴１９を介して固定用空間Ｓ２に入り込んで該空間Ｓ２に充填される。そして、固定用空間Ｓ２に充填された断熱材１５により、嵌合部１６と被着部１７とが接着固定され、これにより外箱１３と内箱１４とは組付け固定される。すなわち、外箱１３と内箱１４とをネジやビス等の固定手段を用いることなく固定することができるから、該固定手段が断熱箱体１１の外側に突出したり露出することはなく、意匠性や清掃性を向上し得る。また固定用空間Ｓ２に断熱材１５を充填したことで、嵌合部１６と被着部１７との嵌合部位における断熱性も確保することができる。
【００２３】
次に、前記断熱箱体１１を備えた食材保冷機１０において、食材を収容した前記複数の保冷容器２１を、そのフランジ２１ａを断熱箱体１１の段部１８に載置した状態で収納したもとで、前記冷凍ユニット１２を運転すると、前記冷却器２８に冷媒が循環供給されて、前記冷却室２０に貯留されている冷却水が冷却され、該冷却水に底部が浸漬されている保冷容器２１に収容されている食材が冷却される。また、冷却室２０に収納されている保冷容器２１は前側に下方傾斜しているから、該容器２１に収容されている食材は、食材保冷機１０の前側（作業位置）から作業者が容易に確認することができる。なお、前記断熱箱体１１の上部開口１１ａは、前記カバー２２により閉成し得るから、作業しないときには外気と保冷容器２１内の食材との熱交換や、冷却室２０からの冷気漏れを防止し得る。また、断熱箱体１１の上部開口１１ａに前記支持部材２３を配設することで、小型の保冷容器４２を用いることができる。
【００２４】
前記機械室２５において、前記凝縮器ファン２７の回転によりキャビネット２４の前部上方から吸込口２９を介して機械室内に吸込んだ外部空気は、図６に示す如く、前記遮蔽板３３で仕切られている前部空間において前記凝縮器２６を空冷した後に後部空間側に流れ、ここで前記圧縮機ＣＭを空冷する。この熱交換された空気は、傾斜配置されている遮蔽板３３により後上部に向けて案内され、前記吹出口３２を介してキャビネット２４の後部上方に排出される。なお、吹出口３２は、吸込口２９の形成面より上方に位置し、かつ前記ダクト部３１における吹出口３２と吸込口２９との間に臨む前面が傾斜面３１ａとしてあるから、吹出口３２から排出される熱交換後の空気が吸込口２９に吸込まれるショートサイクルを有効に防止し、凝縮器２６や圧縮機ＣＭ等の効率的な空冷を達成し得る。
【００２５】
また、前記吸込口２９および吹出口３２をキャビネット２４の上面に形成したから、当該食材保冷機１０の周囲四面が壁や他の厨房機器等で塞がれていても、空気の吸排気に支障を来たすことなく効率的な空冷を行ない得る。しかも、吸込口２９を前側に形成したので、該吸込口２９に配設される前記エアフィルタ３０の交換を簡単に行なうことができる。
【００２６】
【変更例】
実施例では、箱体構造を食材保冷機に採用した場合で説明したが、その他の冷蔵庫や冷凍庫等に採用することが可能である。また食材等を冷却する方式としては、実施例のように冷却水を用いることなく、内箱を冷却器により冷却するものや、あるいは冷却器で冷却した空気をファン等により冷却室に循環させて冷却する構成等、各種の方式を用いることができる。
【００２７】
【発明の効果】
以上説明した如く、本発明に係る箱体構造によれば、外箱の嵌合部に内箱の被着部を外嵌することで画成される固定用空間に、両箱間に画成される断熱用空間に発泡充填される断熱材の一部を抜穴を介して充填するよう構成したから、外箱と内箱とをネジやビス等の固定手段を用いることなく固定することができる。すなわち、固定手段が外側に突出したり露出することはないから、意匠性や清掃性が向上する。また、嵌合部と被着部との嵌合部位における断熱性は、固定用空間に充填された断熱材により確保することができる。更に、外箱の嵌合部と内箱の被着部とを夫々折曲形成すると共に、夫々の折曲部を当接支持させるよう構成したから、両箱の嵌合部位の強度や剛性を高めることができる。
【図面の簡単な説明】
【図１】本発明の好適な実施例に係る箱体構造が採用される食材保冷機を示す概略斜視図である。
【図２】実施例に係る断熱箱体の外箱と内箱とを分離した状態を示す概略斜視図である。
【図３】実施例に係る断熱箱体の縦断側面図である。
【図４】実施例に係る断熱箱体の外箱と内箱を示す縦断側面図である。
【図５】実施例に係る断熱箱体における嵌合部と被着部との嵌合部位を示す要部縦断側面図である。
【図６】実施例に係る冷凍ユニットを示す縦断側面図である。
【図７】実施例に係る断熱箱体における冷却器の配管状態を示す説明平面図である。
【図８】実施例に係る冷凍ユニットの冷媒回路図である。
【図９】実施例に係る断熱箱体に支持部材を配設することで小型の保冷容器を収納した状態で示す食材保冷機の概略斜視図である。
【符号の説明】
１３　外箱，１４　内箱，１５　断熱材，１６　嵌合部，１６ａ　下折曲部
１６ｂ　フランジ部，１６ｃ　上折曲部，１７　被着部，１７ａ　上折曲部
１７ｂ　側面部，１７ｃ　下折曲部，１９　抜穴，Ｓ１　断熱用空間
Ｓ２　固定用空間
【図１】
2004084966.tif 000003
【図２】
2004084966.tif 000004
【図３】
2004084966.tif 000005
【図４】
2004084966.tif 000006
【図５】
2004084966.tif 000007
【図６】
2004084966.tif 000008
【図７】
2004084966.tif 000009
【図８】
2004084966.tif 000010
【図９】
2004084966.tif 000011